(57)【要約】短時間で簡便に爪を補修できる爪用補修具を提供すること。爪用補修具は、互いに交差する経糸と緯糸によって編まれた繊維シートを、爪の一部を補修するのに適した大きさとなるように予め切断してなる複数の繊維シート片を備え、各繊維シート片は経糸および緯糸に対して斜めに切断された直線状の辺を有する。
2012147613.tif 000002
【特許請求の範囲】
【請求項１】
互いに交差する経糸と緯糸によって編まれた繊維シートを、爪の一部を補修するのに適した大きさとなるように予め切断してなる複数の繊維シート片を備え、各繊維シート片は経糸および緯糸に対して斜めに切断された直線状の辺を有することを特徴とする爪用補修具。
【請求項２】
複数の繊維シート片は互いに異なる大きさを有する請求項１に記載の爪用補修具。
【請求項３】
複数の繊維シート片は互いに異なる形状を有する請求項１に記載の爪用補修具。
【請求項４】
各繊維シート片は四角形の角を落とした形状を有することを特徴とする請求項１〜３のいずれか１つに記載の爪用補修具。
【請求項５】
繊維シートが絹織物からなる請求項１〜４のいずれか１つに記載の爪用補修具。
【請求項６】
繊維シートが一方の表面に粘着層を有する請求項１〜５のいずれか１つに記載の爪用補修具。
【請求項７】
爪の補修箇所に貼り付けられる複数の繊維シート片からなる爪用補修具と、貼り付けられた繊維シート片を爪の表面に接着するための接着剤とを備え、前記爪用補修具が請求項１〜６のいずれか１つに記載の爪用補修具からなることを特徴とする爪用補修キット。
【請求項８】
接着剤がシアノアクリレート系接着剤からなる請求項７に記載の爪用補修キット。
【請求項９】
未硬化の接着剤に埋没するように散布される樹脂粉末を補強材としてさらに備える請求項８に記載の爪用補修キット。
【請求項１０】
接着剤の硬化を促進する硬化促進剤をさらに備える請求項８又は９に記載の爪用補修キット。
【請求項１１】
接着剤がエチルメタクリレートからなるモノマーと、ポリメチルメタクリレート樹脂の粉末との混合物からなる請求項７に記載の爪用補修キット。
【請求項１２】
エチルメタクリレートからなるモノマーと、ポリメチルメタクリレート樹脂の粉末とからなる混合物を調製し塗布するための筆をさらに備える請求項１１に記載の爪用補修キット。
【請求項１３】
接着剤が紫外線硬化型のウレタン樹脂からなる請求項７に記載の爪用補修キット。
【請求項１４】
爪の甘皮を除去する甘皮除去器具、爪の表面を研削するための研削具および紫外線硬化型のウレタン樹脂を塗布する筆をさらに備える請求項１３に記載の爪用補修キット。
【請求項１５】
爪の表面に付着した水分または油分を除去するための洗浄料をさらに備える請求項７〜１４のいずれか１つに記載の爪用補修キット。
【請求項１６】
少なくとも洗浄料と接着剤にそれらの使用順序を示す符号が付されている請求項１５に記載の爪用補修キット。
【発明の詳細な説明】
【技術分野】
【０００１】
この発明は、爪用補修具およびそれを用いた爪用補修キットに関し、詳しくは迅速かつ簡便に爪を補修するのに適した爪用補修具とそれを用いた爪用補修キットに関する。
【背景技術】
【０００２】
この発明に関連する従来技術としては、一方の表面にアクリル酸エステル糊を付着させた天然絹繊維からなる芯部を爪の形状に一致するように切断したうえで爪の亀裂を覆うように爪の表面に貼り付け、貼り付けた芯部にシアノアクリレート系接着剤を含浸させて爪の表面に接着することにより前記亀裂を補修する爪の補修方法が知られている（例えば、特許文献１参照）。
【先行技術文献】
【特許文献】
【０００３】
【特許文献１】特開平８−２３８１２１号公報
【発明の概要】
【発明が解決しようとする課題】
【０００４】
指先の感覚が重要な運動選手、例えば、野球の投手は爪の状態が投球に及ぼす影響が大きく、爪に亀裂が発生した場合には試合中であっても次のイニングが始まるまでに直ちに亀裂を補修する必要がある。
また、爪に亀裂が発生していなくとも亀裂の発生が予測される場合には、前もって迅速に補強しておく必要がある。【０００５】
上記のような爪の補修方法は、天然絹繊維を爪の形状に一致するように切断しなければならず手間を要するため、限られた短い時間の中での補修には適していない。
また、時間に余裕がある場合であっても、なるべく短時間で簡便に補修できればそれにこしたことはない。【０００６】
この発明は以上のような事情を考慮してなされたもので、短時間で簡便に爪を補修できる爪用補修具とそれを用いた爪用補修キットを提供するものである。
【課題を解決するための手段】
【０００７】
この発明は、互いに交差する経糸と緯糸によって編まれた繊維シートを、爪の一部を補修するのに適した大きさとなるように予め切断してなる複数の繊維シート片を備え、各繊維シート片は経糸および緯糸に対して斜めに切断された直線状の辺を有することを特徴とする爪用補修具を提供するものである。
【発明の効果】
【０００８】
この発明によれば、繊維シートが爪の一部を補修するのに適した大きさに予め切断された複数の繊維シート片として用意されるので、爪に亀裂が発生した場合など、何らかの事情により爪の補修を行う際に繊維シートを適切な大きさに切断する必要がなく、短時間で簡便に爪の補修を行うことができる。
また、各繊維シート片は経糸および緯糸に対して斜めに切断された直線状の辺を有しているので、この直線状の辺を目安とすることにより経糸および緯糸が亀裂に対して斜めに交差するように繊維シート片を爪の表面に位置決めすることが容易に行える。【０００９】
これにより、繊維シート片が湾曲した爪の表面になじみやすくなり、繊維シート片を爪の表面に密着させ易くなるばかりでなく、経糸または緯糸が亀裂に対して平行となる場合と比較して少ない面積で亀裂部分を効果的に補強できるようになる。
少ない面積で亀裂部分を補強することにより、爪自体が硬化した繊維シート片と一緒に撓み易くなることから補修後の指先の感覚を極めて自然な状態に維持でき、大きな力や衝撃が爪に加わった際にも硬化した繊維シート片が爪から剥がれ難くなる。
【図面の簡単な説明】
【００１０】
【図１】本発明の実施形態に係る爪用補修キットの平面図である。
【図２】図１に示される爪用補修キットの側面図である。
【図３】図１に示される爪用補修キットに含まれる爪用洗浄料の説明図である。
【図４】図１に示される爪用補修キットに含まれる繊維シート片の拡大説明図である。
【図５】図１に示される爪用補修キットに含まれる接着剤の説明図である。
【図６】図１に示される爪用補修キットに含まれる接着剤を構成するアクリル専用リキッドとアクリル樹脂粉末の説明図である。
【図７】図１に示される爪用補修キットに含まれる接着剤を構成するベースジェルとシーラージェルの説明図である
【図８】図１に示される爪用補修キットに含まれる散布用アクリル樹脂粉末の説明図である。
【図９】図１に示される爪用補修キットに含まれる硬化促進剤の説明図である。
【図１０】図１に示される爪用補修キットに含まれるピンセットの説明図である。
【図１１】図１に示される爪用補修キットに含まれるヘラの説明図である。
【図１２】図１に示される爪用補修キットに含まれるビニールフィルムの説明図である。
【図１３】図１に示される爪用補修キットに含まれる筆の説明図である。
【図１４】図１に示される爪用補修キットに含まれるダッペングラスの説明図である。
【図１５】図１に示される爪用補修キットに含まれるストーンプッシャーの説明図である。
【図１６】図１に示される爪用補修キットに含まれるスポンジファイルの説明図である。
【図１７】図１に示される爪用補修キットに含まれる拭き取り剤の説明図である。
【図１８】図１に示される爪用補修キットを利用したヒトの爪の補修方法（Ａ法）を説明する工程図である。
【図１９】図１に示される爪用補修キットを利用したヒトの爪の補修方法（Ａ法）を説明する工程図である。
【図２０】図１に示される爪用補修キットを利用したヒトの爪の補修方法（Ａ法）を説明する工程図である。
【図２１】図１に示される爪用補修キットを利用したヒトの爪の補修方法（Ａ法）を説明する工程図である。
【図２２】図１に示される爪用補修キットを利用したヒトの爪の補修方法（Ｂ法）を説明する工程図である。
【図２３】図１に示される爪用補修キットを利用したヒトの爪の補修方法（Ｂ法）を説明する工程図である。
【図２４】図１に示される爪用補修キットを利用したヒトの爪の補修方法（Ｂ法）を説明する工程図である。
【図２５】図１に示される爪用補修キットを利用したヒトの爪の補修方法（Ｃ法）を説明する工程図である。
【図２６】図１に示される爪用補修キットを利用したヒトの爪の補修方法（Ｃ法）を説明する工程図である。
【図２７】図１に示される爪用補修キットを利用したヒトの爪の補修方法（Ｃ法）を説明する工程図である。
【図２８】図１に示される爪用補修キットを利用したヒトの爪の補修方法（Ｃ法）を説明する工程図である。
【図２９】図１に示される爪用補修キットを利用したヒトの爪の補修方法（Ｃ法）を説明する工程図である。
【発明を実施するための形態】
【００１１】
この発明による爪用補修具は、互いに交差する経糸と緯糸によって編まれた繊維シートを、爪の一部を補修するのに適した大きさとなるように予め切断してなる複数の繊維シート片を備え、各繊維シート片は経糸および緯糸に対して斜めに切断された直線状の辺を有することを特徴とする。
【００１２】
この発明による爪用補修具において、爪とは有羊膜類の指の先端の表皮の角質が変化し硬化して出来た板状の皮膚の付属器官を意味し、特に限定されるものではないが、哺乳類や鳥類の扁爪や鉤爪を補修するのに好適に用いられる。
また、繊維シートとは繊維からなる経糸と緯糸を互いに交差させて編んだ織物を意味する。
ここで、繊維としては、例えば、毛（ウール）、絹（シルク）、綿（コットン）、麻（リネン）などの天然繊維、ナイロン、ポリエステルなどの化学繊維、或いはガラス繊維を用いることができる。
【００１３】
この発明による爪用補修具において、複数の繊維シート片は互いに異なる大きさを有していてもよい。
というのは、繊維シート片は補修の目的によって最適となる大きさが変わるからである。例えば、野球の投手のように補修後の指先の感覚を重視する場合は、補修を行ううえで必要最小限の大きさ繊維シート片を用いる。必要以上に大きい面積で補修を行うと爪の補強が過剰になって補修後の指先の感覚に変化が生じ投球の支障となる恐れがある。
一方、例えば、野球の野手のように補修後の指先の感覚よりも補修部分の強度を重視する場合は、比較的大きい繊維シート片を用いて十分に爪を補強する。
そこで、上記のように大きさの異なる複数の繊維シート片を用意しておけば、補修の目的に応じて適切な大きさの繊維シート片を適宜選択して、目的に応じた補修を短時間で簡便に行うことができる。
【００１４】
この発明による爪用補修具において、複数の繊維シート片は互いに異なる形状を有していてもよい。
このような構成によれば、亀裂の方向や補強を要する部位の形状など、補修の内容に応じて最適となる形状の繊維シート片を適宜選択し、目的に応じた補修を短時間で簡便に行うことができる。
【００１５】
この発明による爪用補修具において、各繊維シート片は四角形の角を落とした形状を有していてもよい。
このような構成によれば、経糸および緯糸に対して斜めとなる辺が少なくとも４つ設けられるので、これら４つの辺を目安とすることにより補修作業に慣れていない者であっても亀裂に対して経糸および緯糸が斜めに交差するように繊維シート片を位置決めすることが容易になり作業性が向上する。
また、四角形の角を落とした形状は、亀裂の補修や部分的な補強など様々な内容の補修作業に汎用的に対応し易く、さらには角が落とされていることから繊維シート片を爪に貼り付けた際にも皺が発生し難く、接着後も硬化した繊維シート片が爪の表面から剥がれ難くなる。
【００１６】
この発明による爪用補修具において、繊維シートは絹織物からなっていてもよい。
このような構成によれば、補修後の爪の補強が過剰になり難く、また大きな力や衝撃が加わっても硬化した繊維シート片が爪自体と共に柔軟に撓み易くなるので、補修後の指先の感覚を自然な状態に維持するうえでより好ましいものとなる。
また、硬化した繊維シート片を爪の表面から剥がれ難くするうえでもより好ましいものとなる。
【００１７】
この発明による爪用補修具において、繊維シートは一方の表面に粘着層を有していてもよい。
このような構成によれば、爪の表面に繊維シート片を載置して位置決めする際の作業が容易になるだけでなく、接着剤が硬化するまでの間に繊維シート片がずれて移動することを防止できるので、補修作業の作業性が向上する。
なお、ここで粘着層とは、接着剤が硬化するまでの間、爪用補修具を爪の表面に暫定的に貼り付けておくために公知のゴム系粘着剤、アクリル系粘着剤、シリコーン系粘着剤、ウレタン系粘着剤などの粘着剤によって構成された層を意味する。
【００１８】
この発明は別の観点からみると、爪の補修箇所に貼り付けられる複数の繊維シート片からなる爪用補修具と、貼り付けられた繊維シート片を爪の表面に接着するための接着剤とを備え、前記爪用補修具がこの発明に係る上述の爪用補修具からなることを特徴とする爪用補修キットを提供するものでもある。
【００１９】
この発明による上記の爪用補修キットにおいて、接着剤とは爪用補修具と爪の表面との間に介在し爪用補修具を爪の表面に接合するための物質を意味し、特に限定されるものではないが、アクリル樹脂系接着剤、ウレタン樹脂系接着剤、エポキシ樹脂系接着剤、シアノアクリレート系接着剤などを用いることができる。
【００２０】
この発明による上記の爪用補修キットにおいて、接着剤はシアノアクリレート系接着剤からなっていてもよい。
このような構成によれば、接着剤の硬化時間が短いので、短時間で簡便に爪の補修を行ううえで好ましいものとなる。
【００２１】
この発明による上記の爪用補修キットは、未硬化の接着剤に埋没するように散布される樹脂粉末を補強材としてさらに備えていてもよい。
このような構成によれば、硬化後の接着剤の層厚を増して接着剤層を補強することができ、硬化した接着剤層と繊維シート片が爪から剥がれ難くなる。
【００２２】
この発明による上記の爪用補修キットは、接着剤の硬化を促進する硬化促進剤をさらに備えていてもよい。
このような構成によれば、必要に応じて硬化促進剤を用いることにより、接着剤の硬化を促進して補修作業を速やかに完了させることができる。
【００２３】
この発明による上記の爪用補修キットにおいて、接着剤はエチルメタクリレートからなるモノマーと、ポリメチルメタクリレート樹脂の粉末との混合物からなっていてもよい。
このような構成によれば、補修部分に厚みをもたせやすくなり、補修部分の強度が高くなる。また、上記の混合物は数分程度の比較的短時間で硬化するので短時間で簡便に爪の補修を行ううえでも適している。
【００２４】
この発明による上記の爪用補修キットは、エチルメタクリレートからなるモノマーと、ポリメチルメタクリレート樹脂の粉末との混合物を調製し塗布するための筆をさらに備えていてもよい。
【００２５】
この発明による上記の爪用補修キットにおいて、接着剤は紫外線硬化型のウレタン樹脂からなっていてもよい。
このような構成によれば、補修部分に柔軟性をもたせ易くなり、補修後の指先の感覚を自然なものに維持し易くなる。また、紫外線硬化型であることから数分程度の紫外線の照射で硬化させることができ、短時間で簡便に爪の補修を行ううえでも適している。
【００２６】
この発明による上記の爪用補修キットは、爪の甘皮を除去する甘皮除去具、爪の表面を研削するための研削具および紫外線硬化型のウレタン樹脂を塗布する筆をさらに備えていてもよい。
【００２７】
この発明による上記の爪用補修キットは、爪の表面に付着した水分または油分を除去するための洗浄料をさらに備えていてもよい。
洗浄料としては、水分や油分を簡便かつ速やかに除去できるものが好ましいため、例えば、酢酸エチルとアンモニア水を主成分とする揮発性の高いものを用いることができる。
【００２８】
この発明による上記の爪用補修キットは、少なくとも洗浄料と接着剤にそれらの使用順序を示す符号が付されていてもよい。
このような構成によれば、補修作業に不慣れな者であっても、間違いなく的確に補修作業を行うことができる。
【００２９】
この発明は更に別の観点からみると、この発明による上述の爪用補修具を用い、爪の亀裂を繊維シート片で覆う工程と、繊維シート片に接着剤を含浸させて繊維シート片を爪の表面に固着させる工程とを備え、爪の亀裂を繊維シート片で覆う工程は、繊維シート片の経糸または緯糸が爪の亀裂に対して斜めに交差するように繊維シート片を亀裂の上に被せる工程であることを特徴とする爪の補修方法を提供するものでもある。
なお、ここで爪とは、上述の通り、有羊膜類の指の先端の表皮の角質が変化し硬化して出来た板状の皮膚の付属器官を意味し、特に限定されるものではないが、哺乳類や鳥類の扁爪や鉤爪を補修の対象とすることができる。
【００３０】
以下、図面に基づいてこの発明の実施形態に係る爪用補修キットと、それを用いたヒトの爪の補修方法について説明する。なお、以下に説明する複数の実施形態において、共通する部材や材料には同じ符号を付して説明する。
【００３１】
本発明の実施形態に係る爪用補修キットとそれを用いたヒトの爪の補修方法について図１〜２９に基づいて説明する。図１は本発明の実施形態に係る爪用補修キットの説明図、図２は図１に示される爪用補修キットの側面図である。
【００３２】
図１および図２に示されるように、本発明の実施形態に係る爪用補修キット１は、ケース２と、ケース２に収容された爪用洗浄料３、大きさと形状の異なる複数の繊維シート片４ａ〜４ｆからなる爪用補修具４、３種類の接着剤５Ａ，５Ｂ，５Ｃ、散布用アクリル樹脂粉末６、硬化促進剤７、ピンセット８、ヘラ９、ビニールフィルム１０，２種類の筆１１Ａ，１１Ｂ、ダッペングラス１２、ストーンプッシャー１３、スポンジファイル１４、拭き取り剤１５とから構成されている。
【００３３】
本実施形態に係る爪用補修キット１を用いて実施される爪の補修方法は、用いられる接着剤の種類によってＡ法、Ｂ法およびＣ法の３つに分類される。
Ａ法ではシアノアクリレート系の接着剤５Ａを用いる。Ｂ法ではエチルメタクリレートのモノマーからなるアクリル専用リキッド１６とアクリル樹脂粉末１７を接着剤５Ｂとして用いる。Ｃ法では紫外線硬化型のウレタン樹脂からなるベースジェル１８およびシーラージェル１９を接着剤５Ｃとして用いる。
【００３４】
本実施形態では、Ａ法、Ｂ法およびＣ法の各法における補修材料の使用順序を明確に示すために、爪用洗浄料３、接着剤５Ａ、散布用アクリル樹脂粉末６、硬化促進剤７、アクリル専用リキッド１６、アクリル樹脂粉末１７、ベースジェル１８、シーラージェル１９および拭き取り剤１５の容器にそれらの使用順序を示す符号が表示されている。
Ａ法では爪用洗浄料３、接着剤５Ａ、散布用アクリル樹脂粉末６、硬化促進剤７の順で用いるので、これらの容器に「１」、「２Ａ」、「３Ａ」、「４Ａ」の符号が表示されている。ここで、接着剤５Ａ、散布用アクリル樹脂粉末６および硬化促進剤７の容器にそれぞれ表示された符号「２Ａ」、「３Ａ」および「４Ａ」は、Ａ法で２番目、３番目、４番目に用いることを示している。
一方、爪用洗浄料３はＡ法、Ｂ法、Ｃ法で共通に用いられるのでアルファベット文字を伴わずに数字だけで表示されている。
【００３５】
また、図１に示されるように、本実施形態の爪用補修具４を構成する複数の繊維シート片４ａ〜４ｆは長方形の角を落とした形状のものと、正方形の角を落とした形状のものがそれぞれ異なる大きさで用意され、形状と大きさによって分類された状態でケース２に収容されている。
【００３６】
図３は爪用補修キット１に含まれる爪用洗浄料３の説明図である。図３に示される爪用洗浄料３は、爪を補修する際の前処理として、爪の表面に付着した水分と油分を予め除去しておくために用いられる。
図３に示されるように、爪用洗浄料３は容器２０に収容され、キャップ２１によって封止されている。キャップ２１には容器２０に収容された爪用洗浄料３を爪に塗布するための刷毛２２が取り付けられており、刷毛２２はキャップ２１が容器２０に装着された状態において容器２０に収容された爪用洗浄料３に浸っている。
爪用洗浄料３としては、酢酸エチルとアンモニア水を主成分とするＰＨ調整剤（商品名「bondaid」（OPI Products Inc.製））を用いることができる。
【００３７】
図４は爪用補修キット１に含まれる繊維シート片４ａの拡大説明図である。図４では長方形の角を落とした形状の繊維シート片４ａを例に拡大して示している。
図４に示される繊維シート片４ａは、一方の表面に粘着層と剥離紙を有するシルクラップと呼ばれる帯状の絹織物（商品名「SHEEEER MAGIC」（BACKSCRATCHERS SALON SYSTEMS, INC.製））を予め切断することにより作製されたものである。図１に示される他の繊維シート片４ｂ〜４ｆも同様に作製されたものである。
図４に示されるように、繊維シート片４ａは互いに交差する経糸４５と緯糸４６によって編まれており、経糸４５および緯糸４６に対して斜めとなる直線状の辺４７〜５０を有している。図示しないが大きさや形状が異なる他の繊維シート片４ｂ〜４ｆについても同様である。
【００３８】
図５は爪用補修キット１に含まれる接着剤５Ａの説明図である。図５に示される接着剤５Ａはネイルグルーと呼ばれるものである。
図５に示されるように、接着剤５Ａは容器２３に収容され、キャップ２４によって封止されている。キャップ２４には容器２３に収容された接着剤５Ａを爪に塗布するための刷毛２５が取り付けられており、刷毛２５はキャップ２４が容器２３に装着された状態において容器２３に収容された接着剤５Ａに浸っている。
接着剤５Ａとしてはシアノアクリレート系の接着剤（商品名「ibd（登録商標）／5 second Brush-On Nail Glue（登録商標）」（American International Industries製））を用いることができる。
【００３９】
図６は爪用補修キット１に含まれる接着剤５Ｂ（図１参照）を構成するアクリル専用リキッド１６とアクリル樹脂粉末１７の説明図である。
図６（ａ）に示されるように、アクリル専用リキッド１６は容器２６に収容され、キャップ２７によって封止されている。アクリル専用リキッド１６としてはエチルメタクリレート（メタクリル酸エチル）からなるモノマー（商品名「Nail de Dance（登録商標）」（株式会社ネイルラボ製）を用いることができる。
図６（ｂ）に示されるように、アクリル樹脂粉末１７は容器２８に収容され、キャップ２９によって封止されている。アクリル樹脂粉末１７としてはポリメチルメタクリレート（ポリメタクリル酸メチル）樹脂の粉末（商品名「Nail de Dance（登録商標）」（株式会社ネイルラボ製）を用いることができる。
後述するように、アクリル専用リキッド１６とアクリル樹脂粉末１７は混合して用いられる。
【００４０】
図７は爪用補修キット１に含まれる接着剤５Ｃ（図１参照）を構成するベースジェル１８とシーラージェル１９の説明図である。
図７（ａ）に示されるように、ベースジェル１８は容器３０に収容され、キャップ３１によって封止されている。ベースジェル１８としてはウレタン樹脂を主成分とする紫外線硬化型のジェル（商品名「axxium SOAK-OFF GEL LACQUER Gel Base」（OPI Products Inc.製）を用いることができる。
ベースジェル１８は、後述するように繊維シート片４ａ〜４ｆを爪の亀裂に貼り付けた後に、繊維シート片４ａ〜４ｆを爪の上に固定すると共に、補修箇所に厚みをつけるための下塗り剤として利用される。
【００４１】
図７（ｂ）に示されるように、シーラージェル１９は容器３２に収容され、キャップ３３によって封止されている。キャップ３３には容器３２に収容されたシーラージェル１９を爪に塗布するための刷毛３４が取り付けられており、刷毛３４はキャップ３３が容器３２に装着された状態において容器３２に収容されたシーラージェル１９に浸っている。
シーラージェル１９としてはウレタン樹脂を主成分とする紫外線硬化型のジェル（商品名「axxium SOAK-OFF GEL LACQUER Gel Top」（OPI Products Inc.製）を用いることができる。
シーラージェル１９は、後述するようにベースジェル１８の硬化後に、補修箇所の硬度を向上させるための上塗り剤として利用される。
【００４２】
図８は爪用補修キット１に含まれる散布用アクリル樹脂粉末６の説明図である。図８に示される散布用アクリル樹脂粉末６はパウダーフィラーと呼ばれる補強材で、Ａ法で接着剤５Ａを塗布した後、接着剤５Ａが硬化するまでの間に補修箇所に散布して用いられる。
図８に示されるように、散布用アクリル樹脂粉末６は容器３５に収容され、内蓋３６を介してキャップ３７で封止されている。内蓋３６にはキャップ３７が外された際に容器３５内に収容された散布用アクリル樹脂粉末６の通過を許容する小径の複数の貫通孔３６ａが形成されている。
散布用アクリル樹脂粉末６としては、ポリメチルメタクリレート（ポリメタクリル酸メチル）樹脂の粉末からなるパウダーフィラー（商品名「ibd（登録商標）／5 second Nail Filler Powder（登録商標）」（American International Industries製））を用いることができる。
【００４３】
図９は爪用補修キット１に含まれる硬化促進剤７の説明図である。図９に示される硬化促進剤７はアクチベーターと呼ばれるもので、後述するようにＡ法で塗布した接着剤５Ａの硬化を促進するために用いられる。
図９に示されるように、硬化促進剤７はポンプ式の噴霧容器３８に収容され、ポンプ部３９を押し下げると容器本体４０に収容された硬化促進剤７が霧状になって外部に噴霧される。
硬化促進剤７としては、アセトン、酢酸エチルおよびガンマブチロラクトンを主成分とするアクチベーター（商品名「Nail Tek Spray-on Activator（登録商標）」（PRIMA TECHNOLOGIES製）を用いることができる。なお、硬化促進剤７の使用は任意であり、使用しなくても構わない。
【００４４】
図１０は爪用補修キット１に含まれるピンセット８の説明図である。図８に示されるピンセット８は補修キット１のケース２に収容された大きさと形状の異なる複数の繊維シート片４ａ〜４ｆから任意のものを取り出す際や、繊維シート片４ａ〜４ｆを爪に載置し位置決めする際に補助的に用いられる。
図１１は爪用補修キット１に含まれるヘラ９の説明図である。図９に示されるヘラ９もピンセット８と同様、爪に繊維シート片４ａ〜４ｆを載置し位置決めする際に補助的に用いられるもので、先端が薄く平らに加工されている。但し、ヘラ９は繊維シート片４ａ〜４ｆを爪に押さえつけることができればよく、その形状は図示のものに限定されるわけではない。
【００４５】
図１２は爪用補修キット１に含まれるビニールフィルム１０の説明図である。図１２に示されるビニールフィルム１０は爪に載置され位置決めされた繊維シート片４ａ〜４ｆを爪の表面に押さえつけて貼り付ける際に用いられる。
【００４６】
図１３は爪用補修キット１に含まれる筆１１Ａ，１１Ｂの説明図である。
図１３（ａ）に示される筆１１Ａは、後述するＢ法による補修作業の際にアクリル樹脂粉末１７を含んだアクリル専用リキッド１６の球体を作成し、作成した球体を爪の上に載置して広げるため用いられる。このため、筆１１Ａは先の細いものが使い易い。
一方、図１３（ｂ）に示される筆１１Ｂは、後述するＣ法による補修作業の際にベースジェル１８を爪に塗布するために用いられる。このため、筆１１Ｂは先の平らなものが使い易い。
【００４７】
図１４は爪用補修キット１に含まれるダッペングラス１２の説明図である。
図１４に示されるように、ダッペングラス１２は、通常は空の容器であり後述するＢ法による補修作業の際に必要に応じてアクリル専用リキッド１６を取り分けるために用意されている。ダッペングラス１２はキャップ４１で密封できるように構成されており、取り分けたアクリル専用リキッド１６を一時的に保管することも可能である。
【００４８】
図１５は爪用補修キット１に含まれるストーンプッシャー１３の説明図である。
図１５に示されるストーンプッシャー１３は棒状の把持部１３ａの先端に砥石１３ｂが装着されたもので、砥石１３ｂの先端は把持部の軸芯に対して斜めにカットされている。ストーンプッシャー１３は、後述するようにＣ法による補修作業の際に前処理として爪の生え際にある甘皮を除去するために用いられる。
【００４９】
図１６は爪用補修キット１に含まれるスポンジファイル１４の説明図である。
図１６に示されるスポンジファイル１４は弾性を有する平らな板状の研磨材である。スポンジファイル１４は、後述するようにストーンプッシャー１３によって甘皮を除去した後に、爪の表面を整えるために用いられる。
【００５０】
図１７は爪用補修キット１に含まれる拭き取り剤１５の説明図である。
図１７に示されるように拭き取り剤１５はポンプ式の噴霧容器４２に収容されポンプ部４３を押し下げると容器本体４４に収容された拭き取り剤１５が霧状になって外部に噴霧される。
拭き取り剤１５としては無水エタノールを主成分とする揮発性の溶剤（商品名「N.A.S.99 Nail Clean Liquid」（OPI Products Inc.製）を用いることができる。
拭き取り剤１５は、後述するようにＣ法でシーラージェル１９を硬化させた後に、表面に残った未硬化のシーラージェル１９を拭き取るために用いられる。
【００５１】
このような構成からなる爪用補修キット１を用いたヒトの爪の補修方法（Ａ法、Ｂ法、Ｃ法）について図１８〜２９に基づいて説明する。
【００５２】
〔Ａ法〕
接着剤５Ａを用いるＡ法によるヒトの爪の補修方法について図１８〜２１に基づいて説明する。図１８〜２１はＡ法によりヒトの爪に発生した亀裂の補修を行う工程を説明する説明図である。
図１８（ａ）に示されるように、補修対象となるヒトの爪６０の先端付近には亀裂６１が横方向に走っている。まず、亀裂６１の向きと大きさをよく観察し、大きさと形状の異なる複数の繊維シート片４ａ〜４ｆのなかから亀裂６１を補修するのに適した大きさと形状のものを選択し、貼り付ける向きと位置を概ね決定しておく。ここでは亀裂６１の向きと大きさを考慮し、長方形の角を落とした形状のなかで最も小さい繊維シート片４ａを用いることとする。
【００５３】
補修後の指先の感覚を重要とする場合、繊維シート片４ａ〜４ｆのなかから亀裂６１を覆うのに必要最小限の大きさと形状のものを選択するのが好ましい。亀裂６１に対して大きすぎるものを用いると、補修箇所も自ずと大きくなり、補強効果が過剰に作用して補修後の指先の感覚が不自然になる恐れがある。
【００５４】
また、繊維シート片４ａ〜４ｆを貼り付ける向きと位置については、繊維シート片４ａ〜４ｆが亀裂６１を覆った際に、繊維シート片４ａ〜４ｆの経糸４５と緯糸４６（図４参照）が亀裂６１に対して斜めに交差するように、貼り付ける向きと位置を概ね決定しておく。
【００５５】
この際、上述のように繊維シート片４ａ〜４ｆは経糸４５および緯糸４６に対して斜めとなる直線状の辺４７〜５０（図４参照）を有しているので、直線状の辺４７〜５０のいずれか１辺が亀裂６１の走る向きに平行に沿うように繊維シート片４ａ〜４ｆを配置すれば、経糸１４と緯糸１５は自ずと亀裂６１に対して斜め交差することとなる。
このため、繊維シート片４ａ〜４ｆの直線状の辺４７〜５０を目安とすることにより、繊維シート片４ａ〜４ｆの経糸４５と緯糸４６が亀裂６１に対して斜めに交差した状態を容易に作り出すことができ、質の高い効果的な補修作業を作業性よく行うことができる。
【００５６】
次いで、図１８（ｂ）に示されるように、補修箇所に爪用洗浄料３を刷毛２２で塗布した後、塗布した爪用洗浄料３を自然乾燥させ、補修箇所に付着している水分と油分を除去する。この際、後の工程で接着剤５Ａを塗布することを考慮し、先の工程で概ね決定しておいた繊維シート片４ａを貼り付ける箇所よりも広めに爪用洗浄料３を塗布するとよい。
【００５７】
次いで、図１９（ｃ）に示されるように、先の工程で選択しておいた繊維シート片４ａの裏側に貼り付けられている剥離紙を剥がし、予め決定しておいた向きと位置で爪６０上に載置し、ずれないように適宜ヘラ９で押さえる。
この際、図１９（ｄ）に示されるように、繊維シート片４ａの経糸４５と緯糸４６が亀裂６１に対して斜めに交差した状態となるよう、上述の通り繊維シート片４ａの直線状の辺４７〜５０を目安として繊維シート片４ａを爪６０上に載置し位置決めする。
【００５８】
次いで、図２０（ｅ）に示されるように、繊維シート片４ａにビニールフィルム１０を被せ、ビニールフィルム１０の上から繊維シート片４ａを爪６０に押さえつけて貼り付ける。これは、作業者の指先から水分や油分などが繊維シート片４ａや爪６０に付着することを極力防止し、後の工程で塗布される接着剤５Ａの接着力を十分に発揮させるためである。
【００５９】
次いで、図２０（ｆ）に示されるように、繊維シート片４ａに接着剤５Ａを刷毛２５で塗布し接着剤５Ａを繊維シート片４ａに含浸させる。この際、繊維シート片４から接着剤５Ａが爪６０上にはみ出るように、繊維シート片４ａよりも広い面積に対して接着剤５Ａを塗布する。但し、接着剤５Ａをあまり広い面積に塗布すると、補強効果が過剰になり、補修後の指先の感覚を自然な状態に維持し難くなる。このため、接着剤５Ａを塗布する面積は繊維シート片４ａを爪６０の表面に固定するのに必要最小限となる面積でよい。
【００６０】
次いで、接着剤５Ａを塗布した領域に散布用アクリル樹脂粉末６（図８参照）を散布する。散布された散布用アクリル樹脂粉末６は未硬化の接着剤５Ａに埋没し、硬化後の接着剤５Ａを補強する役割を果たす。
その後、硬化促進剤７（図９参照）を補修箇所に向かって噴霧して接着剤５Ａの硬化を完了させると、図２１（ｇ）に示されるように爪６０に発生した亀裂６１（図１８（ａ）参照）の補修作業が完了する。
なお、本例では硬化促進剤７を利用したが、硬化促進剤７の利用は任意であり、急がない場合は利用せずに自然硬化させてもよい。
【００６１】
また、上述の接着剤５Ａを塗布する工程と、散布用アクリル樹脂粉末６を散布する工程は必要に応じて２〜４回程度繰り返し行ってもよい。繰り返す回数を増やす程、接着剤５Ａの層厚が厚くなって補強効果が強くなる。
但し、あまり補強効果が高くなると、補修後の指先の感覚が不自然になったり、硬化した接着剤５Ａと繊維シート片４ａが爪６０から剥がれ易くなるため、適度な回数に抑えることが好ましい。
【００６２】
本例では亀裂６１を覆うのに必要最小限の大きさを有する繊維シート片４ａを用い、繊維シート片４ａを爪６０に固定するにあたっても必要最小限の面積で接着剤５Ａを塗布するので、硬化後の接着剤５Ａと繊維シート片４ａが爪６０の撓みを阻害することもなく、補修後の指先の感覚を自然に維持できる。
このため、上述の補修方法は、例えば、野球の投手のように指先の微妙な感覚を必要とするヒトの指先に生じたアクシデントに対し、その場で応急処置を施す場合に好適に用いられる。
【００６３】
一方、野球の野手のように指先の感覚よりも補修後の強度を重視する場合は、亀裂６１に対して比較的大きめの繊維シート片４ｂ〜４ｆを用い、接着剤５Ａを広い面積に厚く塗布するようにするとよい。
【００６４】
〔Ｂ法〕
接着剤５Ｂを用いるＢ法によるヒトの爪の補修方法について図２２〜２４に基づいて説明する。図２２〜２４はＢ法によりヒトの爪に発生した亀裂の補修を行う工程を説明する説明図である。
なお、選定した繊維シート片４ａを爪６０の亀裂６１に貼り付けるまでの工程は上述のＡ法と同様であるため、詳細な説明は省略する。
【００６５】
まず、図２２（ａ）に示されるように、適量のアクリル専用リキッド１６をダッペングラス１２に取り分け、筆１１Ａにアクリル専用リキッド１６を含ませる。
次いで、図２２（ｂ）に示されるように、筆１１Ａの先端をアクリル樹脂粉末１７に僅かに接触させ、アクリル専用リキッド１６にアクリル樹脂粉末１７を吸い込ませることにより筆１１Ａの先端にアクリル樹脂粉末１７を吸って膨潤したアクリル専用リキッド１６の球体５１を付着させる。この球体５１は半固形で硬化するまでの間に自由に造形ができる。
【００６６】
次いで、図２３（ｃ）に示されるように、筆１１Ａの先端に付着したアクリル専用リキッド１６の球体５１を繊維シート片４ａの上に載置し、その後、図２３（ｄ）に示すようにアクリル樹脂粉末１７を含んだアクリル専用リキッド１６を筆１１Ａの腹などを使って爪６０上の必要な場所に塗り広げる。なお、説明を分かり易くするためにアクリル専用リキッド１６に含まれるアクリル樹脂粉末１７を黒点で表しているが、爪６０上に塗り広げられた状態においてアクリル樹脂粉末１７はほぼ透明である。
【００６７】
その後、必要に応じて球体５１を爪６０の上に載置して塗り広げる上記の工程を３〜４回程度繰り返し、３〜４分程度放置してアクリル樹脂粉末１７を含んだアクリル専用リキッド１６を硬化させると、図２４（ｅ）に示されるように爪６０に発生した亀裂６１（図１８（ａ）参照）の補修作業が完了する。
なお、亀裂６１の大きさや爪６０にかかる負荷などによっては球体５１を載置して塗り広げる上記の工程を繰り返し行い、補修領域をさらに広くしたり、補修部分の厚みを増してもよい。
【００６８】
このようにＢ法による補修方法では繊維シート片４ａの固定にアクリル専用リキッド１６にアクリル樹脂粉末１７を含ませた半固形のものを用いるので、補修箇所の厚みを厚くすることができる。このためＢ法による補修方法は上述のＡ法による補修方法よりも補修箇所の強度を更に高くすることができる。
このため、Ｂ法による補修方法は、例えば、野球の野手のように、補修箇所の違和感があまり問題とならない場合や、違和感があってもより高い強度を求めるヒトの指先に生じたアクシデントに対し、その場で応急処置を施す場合に好適に用いられる。
【００６９】
〔Ｃ法〕
接着剤５Ｃを用いるＣ法によるヒトの爪の補修方法について図２５〜２９に基づいて説明する。図２５〜２４はＣ法によりヒトの爪に発生した亀裂の補修を行う工程を説明する説明図である。
【００７０】
図２５（ａ）に示されるように、補修対象となるヒトの爪６０の中程付近には亀裂６１が横方向に走っている。上述のＡ法と同様に亀裂６１の向きと大きさをよく観察し、大きさと形状の異なる繊維シート片４ａ〜４ｆのなかから亀裂６１を補修するのに適した大きさと形状のものを選択し、貼り付ける向きと位置を概ね決定しておく。本例で補修する亀裂６１は上述のＡ法およびＢ法で補修した亀裂６１よりも比較的小さいが、Ｃ法は応急処置ではなく長期にわたる安定した補修と補強を目的とするため、正方形の角を落とした形状のやや大きい繊維シート片４ｅを用いることとする。
【００７１】
繊維シート片４ａ〜４ｆを貼り付ける向きと位置については、上述のＡ法と同様に繊維シート片４ａ〜４ｆが亀裂６１を覆った際に、繊維シート片４ａ〜４ｆの経糸４５と緯糸４６（図４参照）が亀裂６１に対して斜めに交差するように、貼り付ける向きと位置を概ね決定しておく。
このため、繊維シート片４ａ〜４ｆの直線状の辺４７〜５０（図４参照）を目安とし、直線状の辺４７〜５０が亀裂６１の走る向きと平行となるように概ねの向きと位置を決めておくとよい。
【００７２】
次いで、図２５（ｂ）に示されるように、爪６０の生え際にある甘皮をストーンプッシャー１３で取り除く。
次いで、図２６（ｃ）に示されるように、スポンジファイル１４を用いて爪６０の表面を研削する。研削が終わったら爪６０の表面に残った余分な爪の粉（ダスト）を除去しておく。
【００７３】
次いで、図２６（ｄ）に示されるように、補修箇所に爪用洗浄料３を刷毛２２で塗布した後、塗布した爪用洗浄料３を自然乾燥させ、補修箇所に付着している水分と油分を除去する。この際、本例では亀裂６１の発生領域が含まれるように爪６０の全体の領域に爪用洗浄料３を塗布する。
【００７４】
次いで、図２７（ｅ）に示されるように、先の工程で選択しておいた繊維シート片４ｅの裏側に貼り付けられている剥離紙を剥がし、予め決定しておいた向きと位置で爪６０上に載置し、ずれないように適宜ヘラ９で押さえつける。
この際、図２７（ｆ）に示されるように、繊維シート片４ｅの経糸４５と緯糸４６が亀裂６１に対して斜めに交差した状態となるよう、上述の通り繊維シート片４ｅの直線状の辺４７〜５０を目安として繊維シート片４ｅを爪６０上に載置し位置決めする。
【００７５】
次いで、図２８（ｇ）に示されるように、繊維シート片４ｅにビニールフィルム１０を被せ、ビニールフィルム１０の上から繊維シート片４ｅを爪６０に押さえつけて貼り付ける。
次いで、図２８（ｈ）に示されるように、適量のベースジェル１８を筆１１Ｂにとり、繊維シート片４ｅが貼り付けられた領域を含めて爪６０の表面全体に塗布する。
ベースジェル１８を塗布した後は、図示しないＵＶライト照射装置を用いて爪６０に紫外光を約１分照射し、塗布したベースジェル１８を硬化させる。
【００７６】
その後、図２９（ｉ）に示されるように、硬化したベースジェル１８の上にシーラージェル１９を刷毛３４で爪６０の表面全体に重ね塗りし、図示しないＵＶ照射装置を用いて紫外光を約３分照射して硬化させる。
【００７７】
その後、拭き取り剤１５（図１７参照）をコットンに含ませて硬化したシーラージェル１９の表面にある未硬化のシーラージェル１９を拭き取ると、図２９（ｊ）に示されるように爪６０に発生した亀裂３１（図２５（ａ）参照）の補修作業が完了する。
【００７８】
本例においてベースジェル１８を下塗りとして塗布し、シーラージェル１９を上塗りとして塗布しているのは次のような理由による。
ベースジェル１８は強度についてはシーラージェル１９よりも劣るものの、爪６０の表面への密着性に優れ、しかも柔軟性があるので爪６０の撓みに追従し易いという特性がある。
一方、シーラージェル１９は分子構造的に密度が高く、硬化するとベースジェル１８よりも硬くなり、強度に優れるという特性がある。
このため、下塗りとしてベースジェル１８を用いると爪６０への密着度を高めつつ爪６０の撓みにも自然に追従できる。そして、硬化したベースジェル１８の表面をシーラージェル１９で被覆することにより、ベースジェル１８に不足している硬度（強度）を補うことができる。
また、仮にベースジェル１８のみで補修を行うと、表面がざらついた状態となり、様々な汚れが付着したり、日常的に触れる洗剤や整髪料などにより硬化したベースジェル１８が溶け出す恐れがあるため、これらの弊害を防止するうえでも硬化したベースジェル１８をシーラージェル１９でさらに被覆することは好ましいと言える。
【００７９】
Ｃ法による爪の補修方法では繊維シート片４ｅの固定に爪６０への密着性と柔軟性に優れたベースジェル１８を用い、さらにベースジェル１８を硬度に優れたシーラージェル１９で被覆するので、極めて自然な状態でありながら強固に爪６０を補強できる。
但し、ストーンプッシャー１３による甘皮の除去や、スポンジファイル１４による研削など前処理が必要であり、さらにはベースジェル１８やシーラージェル１９の硬化にもＵＶ照射装置が必要となる。
このため、Ｃ法による補修方法は、例えば、野球の選手などのように爪の手入れが必要なヒトの指先に発生した爪の亀裂を、日常的にケアする場合に好適に用いられる。
【００８０】
〔除去方法〕
上述のＡ法、Ｂ法およびＣ法によりヒトの爪６０に施した補修部分は、アセトンを用いることにより除去できる。
具体的には、ガラス容器に入れたアセトンの中に爪６０の補修部分を漬けて１０〜１５分程度放置するか、或いはアセトンを染み込ませたコットンを爪に巻き付け、その上からアルミ箔で覆って１０〜１５分程度放置する。
その後、爪６０の表面から浮き上がってきたり軟化した補修部分をスティック等でそぎ落とすと補修部分を無理なく除去することができる。
なお、補修部分の浮き上がり具合や軟化具合が十分でない場合には無理に除去せずに再びアセトンに漬けるとよい。
補修部分を除去した後はアセトンを含ませたコットンできれいに拭き取り、手洗いと保湿を十分に行う。
【００８１】
以上、本発明の実施形態に係る爪用補修キットおよびそれを用いたヒトの爪の補修方法について説明したが、本発明に係る爪用補修具と爪用補修キット、並びに爪の補修方法は、例えば、野球選手のように短時間で簡便に爪を補修する必要がある場合だけでなく、一般の人々の爪の補修にも好適に利用できる。
また、ヒトの爪に限らず、哺乳類や鳥類全般の扁爪や鉤爪の補修に好適に利用できる。
【符号の説明】
【００８２】
１，４１，６１  爪用補修キット
２，４２，６２  ケース
３  爪用洗浄料
４  爪用補修具
４ａ，４ｂ，４ｃ，４ｄ，４ｅ，４ｆ  繊維シート片
５Ａ，５Ｂ，５Ｃ  接着剤
６  散布用アクリル樹脂粉末
７  硬化促進剤
８  ピンセット
９  ヘラ
１０  ビニールフィルム
１１Ａ，１１Ｂ  筆
１２  ダッペングラス
１３  ストーンプッシャー
１４  スポンジファイル
１５  拭き取り剤
１６  アクリル専用リキッド
１７  アクリル樹脂粉末
１８  ベースジェル
１９  シーラージェル
２０，２３，２６，２８，３０，３２，３５  容器
２１，２４，２７，２９，３１，３３，３７，４１  キャップ
２２，２５，３４  刷毛
３６  内蓋
３６ａ  貫通孔
３８，４２  噴霧容器
３９，４３  ポンプ部
４０，４４  容器本体
４５  経糸
４６  緯糸
４７，４８，４９，５０  直線状の辺
６０  爪
６１  亀裂
【図１】
2012147613.tif 000003
【図２】
2012147613.tif 000004
【図３】
2012147613.tif 000005
【図４】
2012147613.tif 000006
【図５】
2012147613.tif 000007
【図６】
2012147613.tif 000008
【図７】
2012147613.tif 000009
【図８】
2012147613.tif 000010
【図９】
2012147613.tif 000011
【図１０】
2012147613.tif 000012
【図１１】
2012147613.tif 000013
【図１２】
2012147613.tif 000014
【図１３】
2012147613.tif 000015
【図１４】
2012147613.tif 000016
【図１５】
2012147613.tif 000017
【図１６】
2012147613.tif 000018
【図１７】
2012147613.tif 000019
【図１８】
2012147613.tif 000020
【図１９】
2012147613.tif 000021
【図２０】
2012147613.tif 000022
【図２１】
2012147613.tif 000023
【図２２】
2012147613.tif 000024
【図２３】
2012147613.tif 000025
【図２４】
2012147613.tif 000026
【図２５】
2012147613.tif 000027
【図２６】
2012147613.tif 000028
【図２７】
2012147613.tif 000029
【図２８】
2012147613.tif 000030
【図２９】
2012147613.tif 000031
【国際調査報告】
2012147613.tif 000032
2012147613.tif 000033